(57)【要約】【課題】ズーム光学系を備えた撮影装置において、ズーム設定時の撮影装置の操作性の向上をはかる。【解決手段】撮影装置１は、ズームレンズ３と、前記ズームレンズ３のズーム操作および所望のズーム段の切替可能範囲の設定操作を手動で行うための操作部２５と、前記ズーム操作に応じて前記ズームレンズ３を光軸方向に移動させてズーム動作を行うレンズ駆動部２７と、前記操作部２５の操作を受けて前記レンズ駆動部２７の前記ズーム動作を制御する制御部２３と、を備え、前記制御部２３は、前記操作部２５によるズーム操作を前記切替可能範囲内のズーム段に制限する。【選択図】図２
2015125273.tif 000002
【特許請求の範囲】
【請求項１】
ズームレンズと、
前記ズームレンズのズーム操作および所望のズーム段の切替可能範囲の設定操作を手動で行うための操作部と、
前記ズーム操作に応じて前記ズームレンズを光軸方向に移動させてズーム動作を行うレンズ駆動部と、
前記操作部の操作を受けて前記レンズ駆動部の前記ズーム動作を制御する制御部と、
を備え、
前記制御部は、前記操作部によるズーム操作を前記切替可能範囲内のズーム段に制限することを特徴とする撮影装置。
【請求項２】
前記切替可能範囲が、前記操作部を操作して、ワイド方向およびズーム方向のいずれかの方向にズーム操作を行い画像表示部の撮影画像が所望の状態のところで前記設定操作を行うことでそのときのズーム段を一方側ズーム段として設定し、次に、前記ズーム操作と逆方向にズーム操作を行い前記画像表示部の前記撮影画像が所望の状態のところで前記設定操作を行うことでそのときのズーム段を他方側ズーム段として設定し、前記一方側と前記他方側との間のズーム段の範囲に設定されることを特徴とする請求項１に記載の撮影装置。
【請求項３】
前記切替可能範囲が、前記操作部を操作して、所望の最短撮影距離を入力して前記設定操作を行うことで、設定された前記最短撮影距離以下の最短撮影距離となるズーム段の範囲に設定されることを特徴とする請求項１に記載の撮影装置。
【請求項４】
前記切替可能範囲が、前記操作部を操作して、所望の撮影倍率を入力して前記設定操作を行うことで、設定された前記撮影倍率以上の撮影倍率となるズーム段の範囲に設定されることを特徴とする請求項１に記載の撮影装置。
【請求項５】
前記操作部が、前記制御部に、前記切替可能範囲に基づく、前記ズーム段の前記制限を実行させるか否かを選択する切換設定操作を行えるようにしたことを特徴とする請求項１から請求項４のいずれか１項に記載の撮影装置。
【請求項６】
前記制御部は、複数の撮影モードのうち、マクロ撮影モードが選択された場合に、前記切替可能範囲に基づく、前記ズーム段の前記制限を実行することを特徴とする請求項１から請求項５のいずれか１項記載の撮影装置。
【請求項７】
ズームレンズを備え、前記ズームレンズのズーム操作および所望のズーム段の切替可能範囲の設定操作を手動で行うための操作部を備えた撮影装置のコンピュータが、
前記ズーム操作に応じて前記ズームレンズを光軸方向に移動させてズーム動作を行うレンズ駆動ステップと、
前記操作部の操作を受けて前記レンズ駆動ステップの前記ズーム動作を制御する制御ステップと、を実行し、
前記制御ステップは、前記操作部によるズーム操作を前記切替可能範囲内のズーム段に制限するステップを含むことを特徴とする撮影方法。
【請求項８】
ズーム光学系を備えた撮影装置を用いた撮影方法であって、
操作部を手動で操作して、ワイド方向およびズーム方向のいずれかの方向にズーム操作を行い画像表示部の撮影画像が所望の状態のところで設定操作を行うことでそのときのズーム段を一方側ズーム段として設定し、次に、前記ズーム操作と逆方向にズーム操作を行い前記画像表示部の前記撮影画像が所望の状態のところで前記設定操作を行うことでそのときのズーム段を他方側ズーム段として設定し、前記一方側と前記他方側との間のズーム段の範囲を前記ズーム段の切替可能範囲として設定するステップと、
前記切替可能範囲に制御部で制限された状態で前記ズーム操作を行い前記画像表示部の前記撮影画像を撮影のための所望の状態となるようにするステップと、
前記撮影のための所望の状態となった前記撮影画像を撮影するステップと備えることを特徴とする撮影方法。
【請求項９】
ズーム光学系を備えた撮影装置を用いた撮影方法であって、
操作部を手動で操作して、画像表示部に複数の最短撮影距離の候補を表示させ、所望の前記最短撮影距離を選択して設定操作を行うことで、設定された前記最短撮影距離以下の前記最短撮影距離となるズーム段の範囲を前記ズーム段の切替可能範囲として設定するステップと、
前記切替可能範囲に制御部で制限された状態でズーム操作を行い前記画像表示部の撮影画像を撮影のための所望の状態となるようにするステップと、
前記撮影のための所望の状態となった前記撮影画像を撮影するステップと備えることを特徴とする撮影方法。
【請求項１０】
ズーム光学系を備えた撮影装置を用いた撮影方法であって、
操作部を手動で操作して、画像表示部に複数の撮影倍率の候補を表示させ、所望の前記撮影倍率を選択して設定操作を行うことで、設定された前記撮影倍率以上の前記撮影倍率となるズーム段の範囲を前記ズーム段の切替可能範囲として設定するステップと、
前記切替可能範囲に制御部で制限された状態でズーム操作を行い前記画像表示部の撮影画像を撮影のための所望の状態となるようにするステップと、
前記撮影のための所望の状態となった前記撮影画像を撮影するステップと備えることを特徴とする撮影方法。
【請求項１１】
ズームレンズを備えた撮影装置のコンピュータを、
前記ズームレンズのズーム操作および所望のズーム段の切替可能範囲の設定操作を手動で行うための操作手段と、
前記ズーム操作に応じて前記ズームレンズを光軸方向に移動させてズーム動作を行うレンズ駆動手段と、
前記操作手段の操作を受けて前記レンズ駆動手段の前記ズーム動作を制御する制御手段として機能させ、
前記制御手段は、前記操作手段によるズーム操作を前記切替可能範囲内のズーム段に制限することを特徴とする撮影プログラム。
【請求項１２】
ズーム光学系を備えた撮影装置のプログラムであって、
操作部の手動の操作に応じて、ワイド方向およびズーム方向のいずれかの方向にズーム操作を行い、画像表示部の撮影画像が所望の状態のところで設定操作を行うと、そのときのズーム段を一方側ズーム段として設定する機能と、
前記ズーム操作と逆方向にズーム操作が行われ、前記画像表示部の前記撮影画像が所望の状態のところで前記設定操作を行うと、そのときのズーム段を他方側ズーム段として設定する機能と、
前記一方側と前記他方側との間のズーム段の範囲を前記ズーム段の切替可能範囲として設定する機能と、
前記画像表示部の前記撮影画像を撮影のための所望の状態となるようにする前記ズーム操作を前記切替可能範囲に制限した状態で行わせる機能と、
前記撮影のための所望の状態となった前記撮影画像を撮影する機能とを実行させることを特徴とするプログラム。
【請求項１３】
ズーム光学系を備えた撮影装置のプログラムであって、
操作部の手動の操作に応じて、画像表示部に複数の最短撮影距離の候補を表示する機能と、
前記候補から所望の前記最短撮影距離を選択して設定操作を行うと、設定された前記最短撮影距離以下の前記最短撮影距離となるズーム段の範囲を前記ズーム段の切替可能範囲として設定する機能と、
前記画像表示部の撮影画像を撮影のための所望の状態となるようにするズーム操作を前記切替可能範囲に制限した状態で行わせる機能と、
前記撮影のための所望の状態となった前記撮影画像を撮影する機能とを実行させることを特徴とするプログラム。
【請求項１４】
ズーム光学系を備えた撮影装置のプログラムであって、
操作部の手動の操作に応じて、画像表示部に複数の撮影倍率の候補を表示する機能と、
前記候補から所望の前記撮影倍率を選択して設定操作を行うと、設定された前記撮影倍率以上の前記撮影倍率となるズーム段の範囲を前記ズーム段の切替可能範囲として設定する機能と、
前記画像表示部の撮影画像を撮影のための所望の状態となるようにするズーム操作を前記切替可能範囲に制限した状態で行わせる機能と、
前記撮影のための所望の状態となった前記撮影画像を撮影する機能とを実行させることを特徴とするプログラム。
【発明の詳細な説明】
【技術分野】
【０００１】
本発明は、例えば、デジタルカメラに用いて好適なズーム光学系を備えた撮影装置、撮影方法およびプログラムに関する。
【背景技術】
【０００２】
近年、デジタルカメラの分野では、フォーカスレンズを合焦位置に移動させることにより被写体に焦点を合わせるＡＦ（Auto Focus）機能と、ズームレンズを移動させることにより画角を変化させる光学ズーム機能とを備えたものが普及している。
【０００３】
光学ズーム機能を備えたデジタルカメラにおいて、マクロ（接写）撮影を行なう場合は、被写体までの距離と、被写体がどの程度大きく写るかを示す撮影倍率を考慮しながら撮影する必要がある。ズームレンズの場合、焦点を合わせることができる被写体までの最短撮影距離と、撮像素子から得られる撮影画像と実際の被写体との大きさの比率である撮影倍率は、使用するズームレンズの光学性能によって決まり、また、ズーム位置毎にその性能は異なる。
【０００４】
図７に、ズームレンズにおける最短撮影距離と撮影倍率との関係を示している。横軸にズーム段（ズーム位置）を、縦軸に撮影倍率と最短撮影距離とを目盛ってある。なお、この図は関係性を例示しているのみで、具体的なズームレンズの性能を示すものではない。撮影倍率は、焦点距離と最短撮影距離とによって決定され、図７に示すように、同じ焦点距離（ズーム位置が同じ場合）では、近くで撮影すると大きく写り、同じ距離で撮影する場合は、焦点距離が大きい方（ズーム位置がＴｅｌｅ側に近い）が大きく写る。また、ズーム位置によって最短撮影距離が異なり、その最短撮影距離はズームレンズの光学性能によって決まる。
【０００５】
このように、光学ズーム全域で同じ焦点可能距離を保てないレンズ光学系を用いた場合、光学ズーム操作により撮影可能距離範囲が変化してしまう。このため、例えば、特許文献１に、合焦範囲優先でマクロ撮影の場合にはズーム動作を撮影距離が６〜５０ｃｍのズーム段を１〜４段までに抑制し、ズーム動作優先の場合でマクロ撮影の場合にはズーム段の全域について動作可能とするように制御する技術が提案されている。
【０００６】
また、例えば、特許文献２に、どのズームポジションが最も被写体に近づいて撮影でき、さらにどこまで近づけるかを即座に知ることができるように明示する技術が提案されている。また、例えば、特許文献３に、マクロモードが設定された場合、検出されたズームポジションが近接撮影に最適なズームポジションに移動するまで最適なズームポジションの設定を誘導する情報を表示装置に表示させる技術が提案されている。この技術によれば、マクロモードが設定されると、近接撮影に最適なズームポジションに設定されるまでこの設定を誘導する情報が表示装置に表示されるため、撮影者は、この情報を参照しながら近接撮影用のズームポジションを手動で設定することができる。
【先行技術文献】
【特許文献】
【０００７】
【特許文献１】特開２００６−２３４９９３号公報
【特許文献２】特開２００９−２２４８８２号公報
【特許文献３】特開２００６−２５３１４号公報
【発明の概要】
【発明が解決しようとする課題】
【０００８】
しかしながら、特許文献１に開示された技術は、マクロモードのときに使用できないズーム段の作動を強制的に禁止するものであり、特許文献２，３に開示された技術はいずれもズームポジションの設定を誘導するガイド情報を表示するものである。したがって、特許文献１，２，３のいずれにおいても、マクロ撮影時に撮影者が手動で任意のズーム範囲を簡単に設定することができない。このため、ズーム光学系を備えた撮影装置では、上記したマクロ撮影に限らず、事前に、概略どの程度のズーム範囲かを決定した後、所望のズーム範囲を選択する必要があり、したがって、使い勝手が悪く、かつ操作性に乏しいという課題があった。
【０００９】
本発明は、上記した課題を解決するためになされたものであり、ズーム光学系を備えた撮影装置において、ズーム設定時の操作性の向上をはかった撮影装置、撮影方法、および、撮影装置のプログラムを提供することを目的とする。
【課題を解決するための手段】
【００１０】
（１）本発明に係る１つの態様は、
ズームレンズと、
前記ズームレンズのズーム操作および所望のズーム段の切替可能範囲の設定操作を手動で行うための操作部と、
前記ズーム操作に応じて前記ズームレンズを光軸方向に移動させてズーム動作を行うレンズ駆動部と、
前記操作部の操作を受けて前記レンズ駆動部の前記ズーム動作を制御する制御部と、
を備え、
前記制御部は、前記操作部によるズーム操作を前記切替可能範囲内のズーム段に制限する撮影装置を提供する。
【００１１】
（２）本発明に係る１つの態様は、
ズームレンズを備え、前記ズームレンズのズーム操作および所望のズーム段の切替可能範囲の設定操作を手動で行うための操作部を備えた撮影装置のコンピュータが、
前記ズーム操作に応じて前記ズームレンズを光軸方向に移動させてズーム動作を行うレンズ駆動ステップと、
前記操作部の操作を受けて前記レンズ駆動ステップの前記ズーム動作を制御する制御ステップと、を実行し、
前記制御ステップは、前記操作部によるズーム操作を前記切替可能範囲内のズーム段に制限するステップを含む撮影方法を提供する。
【００１２】
（３）本発明の１つの態様は、
ズーム光学系を備えた撮影装置を用いた撮影方法であって、
操作部を手動で操作して、ワイド方向およびズーム方向のいずれかの方向にズーム操作を行い画像表示部の撮影画像が所望の状態のところで設定操作を行うことでそのときのズーム段を一方側ズーム段として設定し、次に、前記ズーム操作と逆方向にズーム操作を行い前記画像表示部の前記撮影画像が所望の状態のところで前記設定操作を行うことでそのときのズーム段を他方側ズーム段として設定し、前記一方側と前記他方側との間のズーム段の範囲を前記ズーム段の切替可能範囲として設定するステップと、
前記切替可能範囲に制御部で制限された状態で前記ズーム操作を行い前記画像表示部の前記撮影画像を撮影のための所望の状態となるようにするステップと、
前記撮影のための所望の状態となった前記撮影画像を撮影するステップと備える撮影方法を提供する。
【００１３】
（４）本発明の１つの態様は、
ズーム光学系を備えた撮影装置を用いた撮影方法であって、
操作部を手動で操作して、画像表示部に複数の最短撮影距離の候補を表示させ、所望の前記最短撮影距離を選択して設定操作を行うことで、設定された前記最短撮影距離以下の前記最短撮影距離となるズーム段の範囲を前記ズーム段の切替可能範囲として設定するステップと、
前記切替可能範囲に制御部で制限された状態でズーム操作を行い前記画像表示部の撮影画像を撮影のための所望の状態となるようにするステップと、
前記撮影のための所望の状態となった前記撮影画像を撮影するステップと備える撮影方法を提供する。
【００１４】
（５）本発明の１つの態様は、
ズーム光学系を備えた撮影装置を用いた撮影方法であって、
操作部を手動で操作して、画像表示部に複数の撮影倍率の候補を表示させ、所望の前記撮影倍率を選択して設定操作を行うことで、設定された前記撮影倍率以上の前記撮影倍率となるズーム段の範囲を前記ズーム段の切替可能範囲として設定するステップと、
前記切替可能範囲に制御部で制限された状態でズーム操作を行い前記画像表示部の撮影画像を撮影のための所望の状態となるようにするステップと、
前記撮影のための所望の状態となった前記撮影画像を撮影するステップと備える撮影方法を提供する。
【００１５】
（６）本発明の１つの態様は、
ズームレンズを備えた撮影装置のコンピュータを、
前記ズームレンズのズーム操作および所望のズーム段の切替可能範囲の設定操作を手動で行うための操作手段と、
前記ズーム操作に応じて前記ズームレンズを光軸方向に移動させてズーム動作を行うレンズ駆動手段と、
前記操作手段の操作を受けて前記レンズ駆動手段の前記ズーム動作を制御する制御手段として機能させ、
前記制御手段は、前記操作手段によるズーム操作を前記切替可能範囲内のズーム段に制限する撮影プログラムを提供する。
【００１６】
（７）本発明の１つの態様は、
ズーム光学系を備えた撮影装置のプログラムであって、
操作部の手動の操作に応じて、ワイド方向およびズーム方向のいずれかの方向にズーム操作を行い、画像表示部の撮影画像が所望の状態のところで設定操作を行うと、そのときのズーム段を一方側ズーム段として設定する機能と、
前記ズーム操作と逆方向にズーム操作が行われ、前記画像表示部の前記撮影画像が所望の状態のところで前記設定操作を行うと、そのときのズーム段を他方側ズーム段として設定する機能と、
前記一方側と前記他方側との間のズーム段の範囲を前記ズーム段の切替可能範囲として設定する機能と、
前記画像表示部の前記撮影画像を撮影のための所望の状態となるようにする前記ズーム操作を前記切替可能範囲に制限した状態で行わせる機能と、
前記撮影のための所望の状態となった前記撮影画像を撮影する機能とを実行させるプログラムを提供する。
【００１７】
（８）本発明の１つの態様は、
ズーム光学系を備えた撮影装置のプログラムであって、
操作部の手動の操作に応じて、画像表示部に複数の最短撮影距離の候補を表示する機能と、
前記候補から所望の前記最短撮影距離を選択して設定操作を行うと、設定された前記最短撮影距離以下の前記最短撮影距離となるズーム段の範囲を前記ズーム段の切替可能範囲として設定する機能と、
前記画像表示部の撮影画像を撮影のための所望の状態となるようにするズーム操作を前記切替可能範囲に制限した状態で行わせる機能と、
前記撮影のための所望の状態となった前記撮影画像を撮影する機能とを実行させるプログラムを提供する。
【００１８】
（９）本発明の１つの態様は、
ズーム光学系を備えた撮影装置のプログラムであって、
操作部の手動の操作に応じて、画像表示部に複数の撮影倍率の候補を表示する機能と、
前記候補から所望の前記撮影倍率を選択して設定操作を行うと、設定された前記撮影倍率以上の前記撮影倍率となるズーム段の範囲を前記ズーム段の切替可能範囲として設定する機能と、
前記画像表示部の撮影画像を撮影のための所望の状態となるようにするズーム操作を前記切替可能範囲に制限した状態で行わせる機能と、
前記撮影のための所望の状態となった前記撮影画像を撮影する機能とを実行させるプログラムを提供する。
【発明の効果】
【００１９】
本発明によれば、ズーム光学系を備えた撮影装置において、ズーム設定時の操作性の向上をはかった撮影装置、撮影方法、および、撮影装置のプログラムを提供することができる。
【図面の簡単な説明】
【００２０】
【図１】本発明の実施の形態に係る撮影装置の外観構造を示す図である。
【図２】本発明の実施の形態に係る撮影装置の内部構成を示すブロック図である。
【図３】本発明の実施の形態に係る撮影装置の動作を示すフローチャートである。
【図４】最短撮影距離設定時のズームレンズにおける最短撮影距離と撮影倍率との関係を示す図である。
【図５】撮影倍率設定時のズームレンズにおける最短撮影距離と撮影倍率との関係を示す図である。
【図６】任意ズーム操作設定時のズームレンズにおける最短撮影距離と撮影倍率との関係を示す図である。
【図７】ズームレンズにおける最短撮影距離と撮影倍率との関係を示す図である。
【発明を実施するための形態】
【００２１】
以下、添付図面を参照して、本発明を実施するための形態（以下、本実施形態という）について詳細に説明する。なお、本実施形態の説明の全体を通して同じ要素には同じ番号を付している。
【００２２】
（実施形態の構成）
図１は、本実施形態に係る撮影装置１の外観構成を示す図であり、図１（ａ）は正面図、図１（ｂ）は背面図、図１（ｃ）は上面図である。ここでは、撮影装置１としてデジタルカメラが例示されている。図１（ａ）に示すように、撮影装置１は、正面にズーム光学系としてのフォーカスレンズ２およびズームレンズ３を有している。また、図１（ｂ）に示すように、撮影装置１は、背面に後述する操作部２５としての撮影モードキー４、カーソルキー５、ＳＥＴキー６、適用キー１０、メニューボタン１１が実装されている。また、例えば、液晶表示画面で構成される画像表示部２４も実装されている。
【００２３】
また、撮影装置１は、図１（ｃ）に示すように、上面に、操作部２５として更にズームレバー７、シャッターキー８及び電源ボタン９も実装されている。なお、図示省略されているが、側部にはパーソナルコンピュータ（以下、パソコン）やモデム等の外部装置とＵＳＢ（Universal Serial Bus）ケーブルに接続する場合に用いるＵＳＢ端子接続部が設けられている。
【００２４】
図２は、本実施形態に係る撮影装置１の内部構成を示すブロック図である。撮影装置１はＡＦ機能を備え、上記したフォーカスレンズ２、ズームレンズ３、ＣＣＤ１４、ＣＤＳ／ＡＤ部１５、ＴＧ（Timing Generator）部１６、ＣＣＤデータ前処理部１７、色処理部１８、ＪＰＥＧ符号化器１９、ＤＲＡＭ２０、フラッシュメモリ２１、ＲＡＭ２２、制御部２３、画像表示部２４、操作部２５、カードインターフェイス（Ｉ／Ｆ）２６、レンズ駆動部２７を備えており、カードインターフェイス２６には、図示しないカードスロットに着脱自在に装着されたメモリカード２８が接続されている。
【００２５】
ＣＣＤ１４は、フォーカスレンズ２とズームレンズ３を介して投影された撮影画像を光電変換し撮影信号として出力する。ＣＤＳ／ＡＤ部１５は、ＣＣＤ１４からの出力信号をサンプリングしてノイズを除去してデジタル信号に変換する。ＴＧ部１６は、所定周波数のタイミング信号を生成してＣＣＤ１４を駆動する。ＣＣＤデータ前処理部１７は、デジタル信号に変換された撮影信号に対し輝度信号処理等のデータ処理を行う。色処理部１８は、輝度信号処理等が行われた画像信号に対して色分離等の色処理を行い、Ｙ，Ｃｂ，Ｃｒの画像データを生成する。ＪＰＥＧ符号化器１９は、画像記録時には、色処理部１８から入力した画像データをＪＰＥＧ（Joint Picture Experts Group）により圧縮する。
【００２６】
ＤＲＡＭ２０は、色処理後のＹ，Ｃｂ，Ｃｒの画像データを逐次記憶する。フラッシュメモリ２１には、制御部２３により実行されるプログラムと各種データが格納されており、制御部２３は、操作部２５からの操作信号とプログラムにしたがいＲＡＭ２２を作業用メモリとして使用することにより以下に示すズーム機能を実行する。すなわち、制御部２３は、ズームレンズ３に対する所望のズーム段の範囲が手動で設定されると、設定された所望のズーム段の範囲においてレンズ駆動部２７を制御し、ズームレンズ３を介して取得され、設定された所望のズーム段の範囲において合焦状態にある撮影画像を生成する。
【００２７】
画像表示部２４は、カラー液晶画面と、それを駆動する駆動回路等からなり、撮影モードが設定された状態で操作部２５（シャッターキー８）が操作されていない撮影待機状態には、ＣＣＤ１４から取り込まれＤＲＡＭ２０に蓄積された１フレーム（画面）分の画像データに基づく撮影画像（スルー）を表示し、再生モードが設定された状態では、メモリカード２８から読み出されるとともに伸張された画像データに基づく記録画像を表示する。また、後述するズーム範囲設定メニュー等、必要に応じて各種情報、例えば、カーソルキー５やＳＥＴキー６のような操作部２５を操作して設定や選択を行うための項目（操作情報）なども表示する。
【００２８】
操作部２５は、撮影モードキー４、カーソルキー５、ＳＥＴキー６、ズームレバー７、シャッターキー８、電源ボタン９、適用キー１０、メニューボタン１１等の各種操作キーを含み、キー操作に応じた操作信号を制御部２３へ送る。なお、メニューボタン１１は、撮影者が手動でズーム範囲を設定する際にも使用するものとする。例えば、メニューボタン１１が撮影者により押下されると、画像表示部２４に、通常のメニューの他に「ズーム範囲設定」のためのメニューも表示され、ズーム範囲設定のメニューが押下されると、最短撮影距離設定によるズーム操作（以下、「最短撮影距離設定」モードという）、撮影倍率設定によるズーム操作（以下、「撮影倍率設定」モードという）、任意ズーム位置設定によるズーム操作（以下、「任意ズーム位置設定」モードという）のようにサブメニューに展開され、任意に選択できる構造になっている。なお、メニューに代えて専用のハードウエアキーを新設してもよい。
【００２９】
ＳＥＴキー６は、撮影者が手動でズーム範囲を設定する際に、カーソルキー５を操作することにより選択されたパラメータ（最短撮影距離、撮影倍率等）を設定するときや、任意ズーム位置設定で画像表示部２４の撮影画像を見ながら設定を行うときに押下され、適用キー１０は、設定されたズーム範囲を有効にするときに押下されるキーである。
なお、本実施形態では、適用キー１０をハードウエアキーの構成として設けているが、画像表示部２４に表示されるメニューに適用キー１０に該当する表示を設け、カーソルキー５で、その表示を選択し、ＳＥＴキー６を押下げる操作で適用キー１０と同じ機能を実現してもよく、適用キー１０をハードウエアキーで構成することに限定されるものでは無い。
【００３０】
レンズ駆動部２７は、フォーカスレンズ２を光軸方向に駆動するフォーカスモータ２７０ａと、及びズームレンズ３を光軸方向に駆動するズームモータ２７０ｂと、制御部２３から送られる制御信号に従いフォーカスモータ２７０ａ及びズームモータ２７０ｂをそれぞれ駆動するモータドライバ２７１ａ，２７１ｂとから構成されている。また、メモリカード２８は、カードインターフェイス２６を介して送られた圧縮後の画像データを記録する。記録された画像データは、記録画像の再生時に読み出され、ＪＰＥＧ符号化器１９により伸張された後、画像表示部２４に表示される。
【００３１】
（実施形態の動作）
以下、図３のフローチャートを参照しながら、図１，図２に示す本実施形態に係る撮影装置１の動作について詳細に説明する。
【００３２】
手動でズーム範囲を設定するにあたり、撮影者は、まず、操作部２５（メニューボタン１１）を操作して画像表示部２４にメニュー表示（操作情報表示）を行い、「最短撮影距離設定」モード、「撮影倍率設定」モード、「任意ズーム位置設定」モードの中からいずれかを選択する。
撮影者がメニューボタン１１の操作を行い「最短撮影距離設定」モードによる設定を選択したことを制御部２３が検出すると（ステップＳ１０１“ＹＥＳ”）、制御部２３は、画像表示部２４にズームレンズ３の性能により決まる最短撮影距離の複数の候補を表示する（ステップＳ１０２）。なお、最短撮影距離の候補の表示など操作部を操作して設定や選択を行うために画像表示部２４に表示される情報を操作情報とも呼ぶ。そして、撮影者は、操作部２５（カーソルキー５）を操作して、表示された最短撮影距離の複数の候補中から所望の最短撮影距離を選択し（ステップＳ１０３）、その選択した最短撮影距離を設定するためにＳＥＴキー６を押下する（ステップＳ１０４“ＹＥＳ”）。ＳＥＴキー６の押下によって、制御部２３が、その選択された最短撮影距離が設定されたことを検出すると、制御部２３はズーム段の範囲設定を行う（ステップＳ１０５）。
【００３３】
このズーム段の範囲設定は、撮影装置１の有するズーム段の範囲の中で特定の範囲のズーム段の範囲内だけ、ズーム段の切替を可能とする設定であるので、この設定によって、指定されるズーム段の範囲のことを以降では、切替可能範囲と呼ぶ場合がある。具体的にどのような範囲が切替可能範囲となるかについては後述する。
【００３４】
続いて、制御部２３は、撮影者が操作部２５の適用キー１０を操作したのを検出すると（ステップＳ１１３“ＹＥＳ”）、設定したズーム段の範囲（切替可能範囲）を有効にし、以降、ズームレバー７の操作による設定範囲（切替可能範囲）外への移動指示があっても、レンズ駆動部２７を制御することにより、選択された最短撮影距離よりも大きな最短撮影距離であるズーム段に切り替わらないようにズームレンズ３の範囲（切替可能範囲）外への移動を制限する制御を行う（ステップＳ１１４）。なお、適用キー１０の押下がない場合は（ステップＳ１１３“ＮＯ”）、ズームレバー７の操作にしたがう通常のズーム操作の制御を行う（ステップＳ１１５）。つまり、適用キー１０を押すか否かで切替可能範囲をズーム操作に適用するか否かの切換設定操作が行えるようになっている。なお、切替可能範囲が有効である状態のときに、もう一度、適用キー１０を押すと切替可能範囲の適用を無効にできるようにしている。
【００３５】
例えば、撮影装置１を「最短撮影距離設定」モードにして最短撮影距離設定操作を行う場合、画像表示部２４には、その撮影装置１の最短撮影距離の複数の候補が表示される。つまり、本実施形態の場合、撮影装置１は、図４に示すように、１ｃｍ，３ｃｍ，５ｃｍ，１０ｃｍ，２０ｃｍ，５０ｃｍ，１００ｃｍの選択が可能であり、この選択が可能な最短撮影距離が予め撮影装置１に登録されており、この選択可能な最短撮影距離が最短撮影距離の候補として画像表示部２４に表示される。それを見た撮影者はカーソルキー５を使って、カーソルを所望の候補の位置に移動させることで所望の候補を選択し、ＳＥＴキー６の押下により最短撮影距離設定操作が終了する。
【００３６】
具体的には、最短撮影距離の候補の中から、２０［ｃｍ］を選択し設定操作が行われると、全ズーム段の範囲（最短撮影距離１［ｃｍ］〜１００［ｃｍ］に対応する範囲）の中の最短撮影距離が２０ｃｍ以下となる範囲（１［ｃｍ］〜２０［ｃｍ］に対応するズーム段の範囲）を切替可能範囲とした設定が行われる（図４の最短撮影距離指定の範囲参照）。そして、切換設定操作によって、切替可能範囲が有効とされると、例えば、図４において、最短撮影距離が１０ｃｍになるズーム段の状態から最短撮影距離を大きくする方向にズームレバー７の操作を行うと、最短撮影距離が２０ｃｍであるズーム段に移行し、さらに、ズームレバー７の操作を、止めることなく続けると、本来であれば、最短撮影距離が５０ｃｍであるズーム段に移行するが、切替可能範囲の制限がかかっているため、最短撮影距離が最も５０ｃｍ側に近い２０ｃｍのズーム段のところ以上に、ズーム段が切替わることがないように、制御部２３により制限され、それ以上ズーム段は切替わらない。
【００３７】
図３のフローチャートに戻り、撮影者がメニューボタン１１の操作を行い「撮影倍率設定」モードによる設定を選択したことを制御部２３が検出すると（ステップＳ１０６“ＹＥＳ”）、制御部２３は、画像表示部２４にズームレンズ３の性能により決まる撮影倍率の複数の候補（複数のパラメータ）を表示する（ステップＳ１０７）。そして、撮影者は、操作部２５（カーソルキー５）を操作して、表示された撮影倍率の複数の候補中から所望の撮影倍率を選択し（ステップＳ１０３）、その選択した撮影倍率を設定するためにＳＥＴキー６を押下する（ステップＳ１０４“ＹＥＳ”）。ＳＥＴキー６の押下によって、制御部２３が、その選択された撮影倍率が設定されたことを検出すると、制御部２３は、ズーム段の範囲設定（切替可能範囲の設定）を行う（ステップＳ１０５）。
【００３８】
そして、制御部２３は、撮影者が操作部２５の適用キー１０を操作したのを検出すると（ステップＳ１１３“ＹＥＳ”）、設定したズーム段の範囲（切替可能範囲）を有効にし、以降、ズームレバー７の操作による設定範囲（切替可能範囲）外への移動指示があっても、レンズ駆動部２７を制御することにより、選択された撮影倍率よりも小さな撮影倍率であるズーム段に切り替わらないようにズームレンズ３の範囲（切替可能範囲）外への移動を制限する（ステップＳ１１４）。なお、適用キー１０の押下がない場合は（ステップＳ１１３“ＮＯ”）、ズームレバー７の操作にしたがう通常のズーム制御を行う（ステップＳ１１５）。また、この場合も、切替可能範囲が有効である状態のときに、もう一度、適用キー１０を押すと切替可能範囲の適用を無効にできるようにしている。
【００３９】
例えば、図５に示すように、撮影装置１を「撮影倍率設定」モードにして撮影倍率設定操作を行う場合、画像表示部２４には、その撮影装置１の撮影倍率の候補が表示される。つまり、本実施形態の場合、図５に示すように、撮影倍率としては、約０．２５倍より少し低い倍率から０．５倍を少し超えた倍率ぐらいの範囲（以降、約０．２５倍から約０．５倍の範囲という。）をカバーしているので、例えば、０．２５倍，０．３倍，０．３５倍，０．４倍，０．４５倍，０．５倍のようなズーム段に対応して選択できる撮影倍率が登録されており、この登録されている撮影倍率が撮影倍率の候補として画像表示部２４に表示される。それを見た撮影者はカーソルキー５を使って、カーソルを所望の候補の位置に移動させることで所望の候補を選択し、ＳＥＴキー６の押下により撮影倍率設定操作が終了する。
【００４０】
具体的には、撮影倍率の候補の中から、０．４倍を選択し設定操作が行われると、全ズーム段の範囲（撮影倍率約０．２５倍から約０．５倍に対応する範囲）の中の撮影倍率が０．４倍以上となる範囲（０．４倍〜約０．５倍に対応するズーム段の範囲）を切替可能範囲とした設定が行われる（図５の撮影倍率指定の範囲参照）。そして、切換設定操作によって、切替可能範囲が有効とされると、先ほど最短撮影距離設定で説明したのと同様に、どれだけ長い時間、ズームレバー７をＴｅｌｅ側にズーム操作しても、撮影倍率が０．４倍未満となるズーム段にズーム段が切替わることがないように、制御部２３により制限される。
【００４１】
図３のフローチャートに戻って、撮影者が操作部２５のメニューボタン１１の操作を行い「任意ズーム位置設定」モードによる設定を選択したことを制御部２３が検出すると（ステップＳ１０８“ＹＥＳ”）、撮影者が画像表示部２４の撮影画像（被写体）を見ながら、その人の感覚的に良いと感じるズーム段の範囲の設定操作に従い、制御部２３は、そのズーム段の範囲を切替可能範囲として設定する。
【００４２】
具体的には、撮影者がズームレバー７を操作することでＷｉｄｅ方向へのズームレンズ３の移動を行い、そのときに画像表示部２４に映し出されている撮影画像（被写体）の見え方を見ながら、これ以上、Ｗｉｄｅ側にしたくない（つまり、被写体を小さくしたくない）ところで、ズームレバー７の操作を止める（ステップＳ１０９）。例えば、そのときのズーム段の位置を、図６に示すズーム段Ａの位置とする。その状態でＳＥＴキー６の押下げを行うと、制御部２３がＳＥＴキー６の押下を検出し、そのズーム段ＡをＷｉｄｅ側（一方側）のズーム段として設定する（ステップＳ１１０“ＹＥＳ”）。
【００４３】
続いて、撮影者は、ズームレバー７を操作して、先ほどと反対側となるＴｅｌｅ方向へのズームレンズ３の移動を行い、そのときに画像表示部２４に映し出されている撮影画像（被写体）の見え方を見ながら、これ以上、Ｔｅｌｅ側にしたくない（つまり、被写体を大きくしたくない）ところで、ズームレバー７の操作を止める（ステップＳ１１１）。例えば、そのときのズーム段の位置を、図６に示すズーム段Ｂの位置とする。その状態でＳＥＴキー６の押下げを行うと、制御部２３がＳＥＴキー６の押下を検出し、そのズーム段ＢをＴｅｌｅ側（他方側）のズーム段として設定する（ステップＳ１１２“ＹＥＳ”）。この一方側と他方側のズーム段の設定が行われると、制御部２３は、ズーム段Ａとズーム段Ｂの間のズーム段の範囲を所望のズーム段の範囲（切替可能範囲）として設定を行う（ステップＳ１０５）。
【００４４】
なお、上記ではＷｉｄｅ側から設定を始める場合で説明したが、Ｔｅｌｅ側から設定を始めるようにしても良く、この場合、一方側のズーム段として設定されるズーム段はズーム段Ｂであり、他方側のズーム段として設定されるのはズーム段Ａとなるが、それによって設定される切替可能範囲は、ズーム段Ｂとズーム段Ａの間のズーム段の範囲であり、何ら範囲が変るものではない。
【００４５】
そして、制御部２３は、撮影者が操作部２５の適用キー１０を操作したのを検出すると（ステップＳ１１３“ＹＥＳ”）、設定したズーム段の範囲（切替可能範囲）を有効にし、以降、ズームレバー７の操作による設定範囲外への移動指示があっても、レンズ駆動部２７を制御することにより、その設定されたズーム段の範囲（切替可能範囲）外のズーム段に切り替わらないようにズームレンズ３の範囲（切替可能範囲）外への移動を制限する（ステップＳ１１４）。なお、適用キー１０の押下がない場合は（ステップＳ１１３“ＮＯ”）、ズームレバー７の操作にしたがう通常のズーム制御を行う（ステップＳ１１５）。この場合も、切替可能範囲が有効である状態のときに、もう一度、適用キー１０を押すと切替可能範囲の適用を無効にできるようにしている。
【００４６】
つまり、この「任意ズーム位置設定」モードは、撮影者に最短撮影距離や撮影倍率に関する知識がなかったとしても、撮影者が、画像表示部２４に表示された撮影画像（被写体）を見ながらＷｉｄｅ方向にズーム操作を行ない、例えば、図６に示すように、その撮影しようとする距離で、撮影画像（被写体）が、これ以上は小さくなりすぎると感じる感覚位置（このときのズーム段がズーム段Ａ）でＳＥＴキー６を押下し、次に、それと逆側になるＴｅｌｅ方向にズーム操作を行い、その撮影しようとする距離で、これ以上大きくする必要はないと感じる感覚位置（このときのズーム段がズーム段Ｂ）でＳＥＴキー６を押下するだけで、その撮影者が適切と考えるズーム段Ａからズーム段Ｂの範囲に切替可能範囲を設定することが可能である。
【００４７】
このことから、「任意ズーム位置設定」モードは、撮影者にとって、最短撮影距離と撮影倍率とのバランスが取れた設定となる。そして、使用するときは、適用キー１０の押下により設定した範囲を使用する選択を行うと、撮影者にとって、適切に感じる撮影画像（被写体）の状態が得られるズーム段Ａとズーム段Ｂの範囲内だけでしかズームができないように制御される。
【００４８】
（実施形態の効果）
以上説明のように本実施形態に係る撮影装置１によれば、撮影者が所望のズーム段の範囲を手動で設定できるようにすることで、事前に、概略どの程度のズーム範囲かを決定してから所望のズーム範囲を選択するといった２段階の操作が不要になり、したがってズーム範囲の設定操作時における操作性の向上を図ることができる。
【００４９】
特に、マクロ撮影では、被写体をなるべく大きく写したい要求があり、従来、撮影中にズーム設定を行うと不意に意図しない大きさでしか撮影できないズーム位置になってしまうことが発生し、再び、所望する撮影倍率で撮影できるように再度ズームの設定を行わなければならないという非常に面倒な場面があった。これに対し、本実施形態に係る撮影装置１によれば、撮影者が所望のズーム段の範囲（切替可能範囲）を手動で設定し、その範囲内にズーム位置が制限されているので、不意に意図しない大きさでしか撮影できないズーム位置になることがなく、上記のような再度ズームの設定を行わなければならないという煩わしさから撮影者は解放される。
【００５０】
また、マクロ撮影では、撮影距離を一定値以下で撮影したいことがあるが、ズーム位置に許されている最短撮影距離より近い位置では近すぎて焦点合わせすることができない。撮影中にズーム操作を行なうと不意に現在撮影中の距離では焦点合わせができない最短撮影距離のズーム位置になってしまうことがあり、この場合も、再度、その距離でも焦点を合わせることができるズーム位置に再度ズームの設定を行うことが必要であった。これに対し、本実施形態に係る撮影装置１によれば、撮影者がその撮影距離に適した所望のズーム段の範囲（切替可能範囲）を手動で設定でき、その範囲内にズーム位置が制限されているので、ズーム位置が現在撮影中の距離では焦点合わせができないようなズーム位置になってしまうことが回避できるので、再度ズームの設定を行うといった煩わしさから撮影者を解放することができる。
【００５１】
本発明は、必ずしもマクロ撮影に限定されるものでなく、通常の撮影であって、マクロ撮影程に被写体に近づいて撮影するわけではないが、それでも、これ以上Ｔｅｌｅ側にズーム段を切替させたくないようなときにも有効である。また、「任意ズーム位置設定」モードの場合には、逆に、あまりにＷｉｄｅ側にズーム段を切替させたくない設定も可能である。つまり、撮影者が手動でズーム段の範囲（切替可能範囲）を設定できるようにしたことによって、撮影者毎に求められる撮影シーンに合わせた適切なズーム段の制御が可能となる。
【００５２】
しかしながら、本発明は、マクロ撮影時において特に顕著な効果が得られるので、マクロ撮影で使用される頻度が高いと考えられる。このため、切替可能範囲の設定が行われている時は、複数の撮影モードのうち、マクロ撮影モードが選択された場合には、自動的に、切替可能範囲にズーム段が制限されるようにしておいて、切替可能範囲の有効・無効を切換える切換設定操作（適用キー１０の操作）を、どちらかと言えば無効にする操作を主体に使用するようにしても良い。この場合でも、一旦、無効にしたが再び有効にしたいときのために、もう一度、切換設定操作（適用キー１０の操作）をすれば、切替可能範囲が有効になるようにしておく方が良い。
【００５３】
なお、本実施形態に係る撮影装置１では、撮影者が主体としてズーム段を手動で設定できるモードの具体例として示した「最短撮影距離設定」、「撮影倍率設定」及び「任意ズーム位置設定」の３つのモードを搭載した場合で説明してきたが、これらのモードのうち必要と考えるモードだけを搭載するようにしても良いことは言うまでもない。
【００５４】
以上、本発明のいくつかの実施形態を説明したが、本発明の範囲は、上述の実施の形態に限定するものではなく、特許請求の範囲に記載された発明の範囲をその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００５５】
〔付記〕
［請求項１］
ズームレンズと、
前記ズームレンズのズーム操作および所望のズーム段の切替可能範囲の設定操作を手動で行うための操作部と、
前記ズーム操作に応じて前記ズームレンズを光軸方向に移動させてズーム動作を行うレンズ駆動部と、
前記操作部の操作を受けて前記レンズ駆動部の前記ズーム動作を制御する制御部と、
を備え、
前記制御部は、前記操作部によるズーム操作を前記切替可能範囲内のズーム段に制限することを特徴とする撮影装置。
［請求項２］
前記切替可能範囲が、前記操作部を操作して、ワイド方向およびズーム方向のいずれかの方向にズーム操作を行い画像表示部の撮影画像が所望の状態のところで前記設定操作を行うことでそのときのズーム段を一方側ズーム段として設定し、次に、前記ズーム操作と逆方向にズーム操作を行い前記画像表示部の前記撮影画像が所望の状態のところで前記設定操作を行うことでそのときのズーム段を他方側ズーム段として設定し、前記一方側と前記他方側との間のズーム段の範囲に設定されることを特徴とする請求項１に記載の撮影装置。
［請求項３］
前記切替可能範囲が、前記操作部を操作して、所望の最短撮影距離を入力して前記設定操作を行うことで、設定された前記最短撮影距離以下の最短撮影距離となるズーム段の範囲に設定されることを特徴とする請求項１に記載の撮影装置。
［請求項４］
前記切替可能範囲が、前記操作部を操作して、所望の撮影倍率を入力して前記設定操作を行うことで、設定された前記撮影倍率以上の撮影倍率となるズーム段の範囲に設定されることを特徴とする請求項１に記載の撮影装置。
［請求項５］
前記操作部が、前記制御部に、前記切替可能範囲に基づく、前記ズーム段の前記制限を実行させるか否かを選択する切換設定操作を行えるようにしたことを特徴とする請求項１から請求項４のいずれか１項に記載の撮影装置。
［請求項６］
前記制御部は、複数の撮影モードのうち、マクロ撮影モードが選択された場合に、前記切替可能範囲に基づく、前記ズーム段の前記制限を実行することを特徴とする請求項１から請求項５のいずれか１項記載の撮影装置。
［請求項７］
ズームレンズを備え、前記ズームレンズのズーム操作および所望のズーム段の切替可能範囲の設定操作を手動で行うための操作部を備えた撮影装置のコンピュータが、
前記ズーム操作に応じて前記ズームレンズを光軸方向に移動させてズーム動作を行うレンズ駆動ステップと、
前記操作部の操作を受けて前記レンズ駆動ステップの前記ズーム動作を制御する制御ステップと、を実行し、
前記制御ステップは、前記操作部によるズーム操作を前記切替可能範囲内のズーム段に制限するステップを含むことを特徴とする撮影方法。
［請求項８］
ズーム光学系を備えた撮影装置を用いた撮影方法であって、
操作部を手動で操作して、ワイド方向およびズーム方向のいずれかの方向にズーム操作を行い画像表示部の撮影画像が所望の状態のところで設定操作を行うことでそのときのズーム段を一方側ズーム段として設定し、次に、前記ズーム操作と逆方向にズーム操作を行い前記画像表示部の前記撮影画像が所望の状態のところで前記設定操作を行うことでそのときのズーム段を他方側ズーム段として設定し、前記一方側と前記他方側との間のズーム段の範囲を前記ズーム段の切替可能範囲として設定するステップと、
前記切替可能範囲に制御部で制限された状態で前記ズーム操作を行い前記画像表示部の前記撮影画像を撮影のための所望の状態となるようにするステップと、
前記撮影のための所望の状態となった前記撮影画像を撮影するステップと備えることを特徴とする撮影方法。
［請求項９］
ズーム光学系を備えた撮影装置を用いた撮影方法であって、
操作部を手動で操作して、画像表示部に複数の最短撮影距離の候補を表示させ、所望の前記最短撮影距離を選択して設定操作を行うことで、設定された前記最短撮影距離以下の前記最短撮影距離となるズーム段の範囲を前記ズーム段の切替可能範囲として設定するステップと、
前記切替可能範囲に制御部で制限された状態でズーム操作を行い前記画像表示部の撮影画像を撮影のための所望の状態となるようにするステップと、
前記撮影のための所望の状態となった前記撮影画像を撮影するステップと備えることを特徴とする撮影方法。
［請求項１０］
ズーム光学系を備えた撮影装置を用いた撮影方法であって、
操作部を手動で操作して、画像表示部に複数の撮影倍率の候補を表示させ、所望の前記撮影倍率を選択して設定操作を行うことで、設定された前記撮影倍率以上の前記撮影倍率となるズーム段の範囲を前記ズーム段の切替可能範囲として設定するステップと、
前記切替可能範囲に制御部で制限された状態でズーム操作を行い前記画像表示部の撮影画像を撮影のための所望の状態となるようにするステップと、
前記撮影のための所望の状態となった前記撮影画像を撮影するステップと備えることを特徴とする撮影方法。
［請求項１１］
ズームレンズを備えた撮影装置のコンピュータを、
前記ズームレンズのズーム操作および所望のズーム段の切替可能範囲の設定操作を手動で行うための操作手段と、
前記ズーム操作に応じて前記ズームレンズを光軸方向に移動させてズーム動作を行うレンズ駆動手段と、
前記操作手段の操作を受けて前記レンズ駆動手段の前記ズーム動作を制御する制御手段として機能させ、
前記制御手段は、前記操作手段によるズーム操作を前記切替可能範囲内のズーム段に制限することを特徴とする撮影プログラム。
［請求項１２］
ズーム光学系を備えた撮影装置のプログラムであって、
操作部の手動の操作に応じて、ワイド方向およびズーム方向のいずれかの方向にズーム操作を行い、画像表示部の撮影画像が所望の状態のところで設定操作を行うと、そのときのズーム段を一方側ズーム段として設定する機能と、
前記ズーム操作と逆方向にズーム操作が行われ、前記画像表示部の前記撮影画像が所望の状態のところで前記設定操作を行うと、そのときのズーム段を他方側ズーム段として設定する機能と、
前記一方側と前記他方側との間のズーム段の範囲を前記ズーム段の切替可能範囲として設定する機能と、
前記画像表示部の前記撮影画像を撮影のための所望の状態となるようにする前記ズーム操作を前記切替可能範囲に制限した状態で行わせる機能と、
前記撮影のための所望の状態となった前記撮影画像を撮影する機能とを実行させることを特徴とするプログラム。
［請求項１３］
ズーム光学系を備えた撮影装置のプログラムであって、
操作部の手動の操作に応じて、画像表示部に複数の最短撮影距離の候補を表示する機能と、
前記候補から所望の前記最短撮影距離を選択して設定操作を行うと、設定された前記最短撮影距離以下の前記最短撮影距離となるズーム段の範囲を前記ズーム段の切替可能範囲として設定する機能と、
前記画像表示部の撮影画像を撮影のための所望の状態となるようにするズーム操作を前記切替可能範囲に制限した状態で行わせる機能と、
前記撮影のための所望の状態となった前記撮影画像を撮影する機能とを実行させることを特徴とするプログラム。
［請求項１４］
ズーム光学系を備えた撮影装置のプログラムであって、
操作部の手動の操作に応じて、画像表示部に複数の撮影倍率の候補を表示する機能と、
前記候補から所望の前記撮影倍率を選択して設定操作を行うと、設定された前記撮影倍率以上の前記撮影倍率となるズーム段の範囲を前記ズーム段の切替可能範囲として設定する機能と、
前記画像表示部の撮影画像を撮影のための所望の状態となるようにするズーム操作を前記切替可能範囲に制限した状態で行わせる機能と、
前記撮影のための所望の状態となった前記撮影画像を撮影する機能とを実行させることを特徴とするプログラム。
【符号の説明】
【００５６】
１…撮影装置、２…フォーカスレンズ、３…ズームレンズ、１４…ＣＣＤ、１５…ＣＤＳ／ＡＤ部、１６…ＴＧ部、１７…ＣＣＤデータ前処理部、１８…色処理部、１９…ＪＰＥＧ符号化器、２０…ＤＲＡＭ、２１…フラッシュメモリ、２２…ＲＡＭ、２３…制御部、２４…画像表示部、２５…操作部（４…撮影モードキー、５…カーソルキー、６…ＳＥＴキー、７…ズームレバー、８…シャッターキー、９…電源ボタン、１０…適用キー、１１…メニューボタン）、２６…カードＩ／Ｆ、２７…レンズ駆動部
【図１】
2015125273.tif 000003
【図２】
2015125273.tif 000004
【図３】
2015125273.tif 000005
【図４】
2015125273.tif 000006
【図５】
2015125273.tif 000007
【図６】
2015125273.tif 000008
【図７】
2015125273.tif 000009